(57)【要約】      （修正有）【課題】高い変換効率で液晶表示器設備のバックライト光源の電源系統を提供する。【解決手段】液晶表示設備のバック・ライト電源を提供する電源系統であって、交流入力電圧に電気的に接続され、直流電圧を提供する双重昇圧パワー・ファクタ校正回路と、該双重昇圧パワー・ファクタ校正回路に電気的に接続され、冷態陰極蛍光灯を駆動してＬＣＤパネル・バック・ライト光源を提供するインバータと、該双重昇圧パワー・ファクタ校正回路に電気的に接続され、複数の出力電圧を前記液晶表示設備に提供する複数出力電圧を有する直流／直流変換器とを備えてなる。この電源系統は従来の技術よりも一入力整流器が少ないと共に、ＰＦＣ回路とバック・ライト・インバータとの間のＤＣ／ＤＣ変換器を省くことが出来、より高い変換効率を得ることが出来る。【選択図】      図２
2005316429.tif 000002
【特許請求の範囲】
【請求項１】
液晶表示設備のバック・ライト電源を提供する電源系統であって、
交流入力電圧に電気的に接続され、直流電圧を提供する双重昇圧パワー・ファクタ校正回路と、
前記双重昇圧パワー・ファクタ校正回路に電気的に接続され、冷態陰極蛍光灯を駆動してＬＣＤパネル・バック・ライト光源を提供するインバータと、
前記双重昇圧パワー・ファクタ校正回路に電気的に接続され、複数の出力電圧を前記液晶表示設備に提供する複数出力電圧を有する直流／直変換器と、
を備えてなることを特徴とする電源系統。
【請求項２】
前記双重昇圧パワー・ファクタ校正回路は、第１端が前記入力電圧の第１の入力端点に電気的に接続された昇圧インダクタと、ブリッジ式構造とを備えてなり、その中、前記ブリッジ式構造は、
第１の上半ブリッジ・アームと、第１の下半ブリッジ・アームと、前記昇圧インダクタの第２端、前記第１の上半ブリッジ・アーム及び前記第１の下半ブリッジ・アームに電気的に接続された第１の節点とを有する第１のブリッジ・アームと、
第２の上半ブリッジ・アームと、第２の下半ブリッジ・アームと、第２の節点とを備え、その中前記第２のブリッジ・アームは前記第１のブリッジ・アームに並列に電気的に接続され、第２の節点が前記入力電圧の第２の入力端点、前記第２の上半ブリッジ・アーム及び前記第２の下半ブリッジ・アームに電気的に接続された第２のブリッジ・アームと、
前記第２のブリッジ・アームに並列に電気的に接続され、前記直流電圧を出力する出力キャパシタと、
を備えてなることを特徴とする請求項１記載の電源系統。
【請求項３】
前記第１の上半ブリッジ・アームは陽極が前記第１の節点に電気的に接続されると共に陰極が前記出力キャパシタの第１端に電気的に接続された第１のダイオードを備え、前記第１の下半ブリッジ・アームは第１端が前記第１の節点に電気的に接続され、そして第２端が前記出力キャパシタの第２端及び制御点に電気的に接続された第１のスイッチを備え、前記第２の上半ブリッジ・アームは陽極が第２の節点に電気的に接続されると共に陰極が前記出力キャパシタの前記第１端に電気的に接続された第２のダイオードを備え、前記第２の下半ブリッジ・アームは前記第２の節点に電気的に接続された第１端と、前記出力キャパシタの該第２端に電気的に接続された第２端と、制御点とを具備した第２のスイッチを備え、
前記第１及び第２のスイッチはパワー・スイッチ素子であり、
前記第１及び第２のスイッチはモス電界効果トランジスタ（ＭＯＳＦＥＴ）であり、該第１及び第２のスイッチの該第１端は前記モス電界効果トランジスタのドレーン、また、該第１及び該第２のスイッチの第２端は前記モス電界効果トランジスタのソース、そして該第１及び該第２のスイッチの前記制御端は該モス電界効果トランジスタのゲートである、
ことを特徴とする請求項２記載の電源系統。
【請求項４】
前記第１の上半ブリッジ・アームは第１端が前記出力キャパシタの第１端に電気的に接続され、第２端が前記第１の節点及び制御点に電気的に接続された第１のスイッチを備え、前記第１の下半ブリッジ・アームは陰極が該第１の節点に電気的に接続され、陽極が前記出力キャパシタの第２端に電気的に接続された第１のダイオードを備え、前記第２の上半ブリッジ・アームは第１端が該出力キャパシタの該第１端に電気的に接続され、第２端が該第２の節点及び制御点に電気的に接続された第２のスイッチを備え、そして前記第２の下半ブリッジ・アームは陰極が該第２の節点に電気的に接続されると共に、陽極が該出力キャパシタの該第２端に電気的に接続された第２のダイオードを備えている、
ことを特徴とする請求項２記載の光源系統。
【請求項５】
前記第１の上半ブリッジ・アームは、第１端が前記出力キャパシタの第１端に電気的に接続され、第２端が前記第１の節点及び制御点に電気的に接続された第１のスイッチを備え、前記第１の下半ブリッジ・アームは第１端が第１の節点に電気的に接続され、第２端が該出力キャパシタの第２端及び制御点に電気的に接続された第２のスイッチを備え、前記第２の上半ブリッジ・アームは陽極が前記第２の節点に電気的に接続されると共に陰極が該出力キャパシタの該第１端に電気的に接続された第１のダイオードを備え、そして該第２の下半ブリッジ・アームは陰極が該第２の節点に電気的に接続されると共に陽極が該出力キャパシタの該第２端に電気的に接続された第２のダイオードを備えている、
ことを特徴とする請求項２記載の電源系統。
【請求項６】
前記第１の上半ブリッジ・アームは、陽極が前記第１の節点に電気的に接続されると共に陰極が前記出力キャパシタの第１端に電気的に接続された第１のダイオードを備え、前記第１の下半ブリッジ・アームは陰極が前記第１の節点に電気的に接続されると共に陽極が該出力キャパシタの第２端に電気的に接続された第２のダイオードを備え、前記第２の上半ブリッジ・アームは第１端が該出力キャパシタの該第１端に電気的に接続され、該第２端が該第２の節点及び制御点に電気的に接続された第１のスイッチを備え、そして前記第２の下半ブリッジ・アームは第１端が該第２の節点に電気的に接続され、該第２端が該出力キャパシタの該第２端及び制御点に電気的に接続された第２のスイッチを備え、
前記電源系統は少なくとも一インバータを備えてなる、
ことを特徴とする請求項２記載の電源系統。
【請求項７】
液晶表示設備のバック・ライト電源を提供する電源系統であって、
交流入力電圧に電気的に接続され、これにより直流電圧を提供する双重昇圧パワー・ファクタ校正回路と、
前記双重昇圧パワー・ファクタ校正回路に電気的に接続され、これにより光源を駆動してＬＣＤパネル・バック・ライト光源を提供するインバータと、
前記双重昇圧パワー・ファクタ校正回路に電気的に接続され、これにより複数の出力電圧を前記液晶表示設備に提供する複数の出力電圧を具備した直流／直流変換器と、
を備えてなることを特徴とする電源系統。
【発明の詳細な説明】
【技術分野】
【０００１】
本発明は液晶表示器（ＬＣＤ）バック・ライトを有する電源系統、例えば、ＬＣＤテレビ、ＬＣＤ及びその他陰極蛍光灯（ＣＣＦＬ）バック・ライトの電源系統に応用される。
【背景技術】
【０００２】
図１は従来のＬＣＤ設備電源系統を示すブロック図である。この図に示すように、伝統のＬＣＤ設備電源系統においては、市内電車からの交流電圧は電力周波数の整流を経た後、パワー・ファクタ校正（ＰＦＣ）回路の入力電圧としてバック・ライトＣＣＦＬを駆動するインバータを得、＋２４Ｖ直流電圧を数百ないし１千余ボルトの交流高電圧に変換するのが必要となる。したがって、その入力前端には主要直流／直流（ＤＣ／ＤＣ）変換器があり、ＰＦＣ回路から出力された高圧直流バス電圧を＋２４Ｖ直流電圧に変換すると共に、バック・ライト・インバータと前級ＰＦＣ回路との安全隔離を実現した。なお、さらに、ＰＦＣ回路から出力された高圧直流バス電圧をＬＣＤ設備の音声周波数及びその他制御部材に必要な直流電圧に変換する補助直流／直流（ＤＣ／ＤＣ）変換器を備えている。また、従来の技術にも上記観念に類似したものがあって、整流器、ＰＦＣ回路（又は昇圧回路／boost circuit）回路及びインバータを介してＣＣＦＬに電源を提供している。しかし、ＬＣＤパネルの自然冷却工作条件はその給電系統に比較的高い伝送効率を要求すると共に、そのあらゆる素子は比較的均一な損耗分布を有することを必要とされている。そして上記従来技術におけるＰＦＣ回路と電力周波数整流器との低効率、及びその部分によりもたらした過熱点はずっと以前から比較的克服しがたい問題であり、特に、比較的大きなパワーを応用する場合になおさら大きな問題となっている。また、バック・ライトＣＣＦＬにより消耗されたパワーはＬＣＤ設備の電源系統において絶大部分（一般にＬＣＤＴＶにおいては７０％ないし８０％の定格パワー）を占めているので、該主要ＤＣ／ＤＣ変換器の変換損耗は明らかに全体のＬＣＤ設備電源系統効率の降下を引起している。この他に、ＬＣＤパネルの自然冷却工作条件はその給電系統のあらゆる素子が相対的に比較的均一な損耗分布を有するよう要求している。そして該主要ＤＣ／ＤＣ変換器は大部分のパワーを処理する必要があると共に、その出力は相対的に比較的低い電圧と比較的大きな電流であるので、容易にその高周波数変圧器及び出力整流パワー部材上に熱点を生ずる。
【０００３】
本発明は上記の従来技術の欠点にかんがみ、これを解決するために鋭意研究と試験とを重ねた結果、ついに「液晶表示器設備に用いられる電源系統」を案出した。これにより、双重昇圧パワー・ファクタ校正（Dual Boost PFC）回路は直接入力された電力周波数交流電圧を数百ボルトの直流バス電圧に変換すると共に、入力電流パワー・ファクタ校正機能を実現した。一個の電力周波数整流器を節約したので、このＰＦＣはより高い効率を得ることができる。また、伝統の＋２４Ｖ入力電圧と異なり、該電源系統におけるバック・ライト・インバータの入力電圧は数百ボルト直流電圧であり、直接前級ＰＦＣ回路のバック・ライト・インバータ回路の出力電圧から来たものである。伝統のものより一級少なく前級ＰＦＣ回路とバック・ライト・インバータとに介する直流／直流（ＤＣ／ＤＣ）変換器であるので、より簡単な構造及び、より低い材料コストを有していることからより高い伝送効率を得ることが出来、自然冷却工作条件下の熱構造設計に、一層適している。
【発明の開示】
【発明が解決しようとする課題】
【０００４】
本発明の主たる目的は双重昇圧パワー・ファクタ校正（Dual Boost PFC）回路で、直接入力された交流電圧を直流バス電圧（ＶBUS ）に変換すると共に、入力電流パワー・ファクタ校正機能を実現した液晶表示器（ＬＣＤ）設備に用いられる電源系統を提供することにある。そして少なくともDual Boost PFC回路と連接したインバータで少なくとも一冷態陰極蛍光灯（ＣＣＦＬ）を駆動して液晶表示パネルのバック・ライト光源を提供する。他のＤＣ／ＤＣ変換器はDual Boost PFC回路と連接してＬＣＤ設備に給電する。入力整流器を必要としないので、ＰＦＣ回路とバック・ライト・インバータとの間に位置する直流／直流（ＤＣ／ＤＣ）インバータを必要としない他、より高い変換効率を得ることができる。
【０００５】
本発明の他の主たる目的は液晶表示器設備のバック・ライト光源を供給するのに用いられる電源系統を提供することにある。
【課題を解決するための手段】
【０００６】
上記目的を達成するために、該電源系統は、交流入力電圧に電気的に接続され、直流電圧を提供する双重昇圧パワー・ファクタ校正（Dual Boost PFC）回路と、該双重昇圧パワー・ファクタ校正回路に電気的に接続され、冷態陰極蛍光灯（ＣＣＦＬ）を駆動してＬＣＤパネル・バック・ライト光源を提供するインバータと、該双重昇圧パワー・ファクタ校正回路に電気的に接続され、複数の出力電圧を該液晶表示設備に提供する複数出力電圧を有する直流／直流変換器（DC／DC converter）と、を備えてなることを特徴とする（請求項１に対応）。
【０００７】
上記アイディアによれば、該双重昇圧パワー・ファクタ校正回路は、第１端が該入力電圧の第１の入力端点に電気的に接続された昇圧インダクタと、ブリッジ式構造とを備えてなり、その中、該ブリッジ式構造は第１のブリッジ・アームと、第２のブリッジ・アームと、出力キャパシタとを備えてなり、その中、該ブリッジ構造は、
第１の上半ブリッジ・アームと、第１の下半ブリッジ・アームと、該昇圧インダクタの第２端、該第１の上半ブリッジ・アーム及び該第１の下半ブリッジ・アームに電気的に接続された第１の節点とを有する第１のブリッジ・アームと、
第２の上半ブリッジ・アームと、第２の下半ブリッジ・アームと、第２の節点とを備え、その中前記第２のブリッジ・アームは前記第１のブリッジ・アームに並列に電気的に接続され、第２の節点が入力電圧の第２の入力端点、該第２の上半ブリッジ・アーム及び第２の下半ブリッジ・アームに電気的に接続された第２のブリッジ・アームと、
該第２のブリッジ・アームに並列に電気的に接続され、該直流電圧を出力する出力キャパシタと、を備えてなることを特徴とする（請求項２に対応）。
【０００８】
また上記アイディアによれば、該第１の上半ブリッジ・アームは陽極が該第１の節点に電気的に接続されると共に陰極が該出力キャパシタの第１端に電気的に接続された第１のダイオードを備え、該第１の下半ブリッジ・アームは第１端が該第１の節点に電気的に接続され、そして第２端が該出力キャパシタの第２端及び制御端に電気的に接続された第１のスイッチを備え、該第２の上半ブリッジ・アームは陽極が第２の節点に電気的に接続されると共に陰極が該出力キャパシタの該第１端に電気的に接続された第２のダイオードを備え、該第２の下半ブリッジ・アームは前記第２の節点に電気的に接続された第１端と、前記出力キャパシタの該第２端に電気的に接続された第２端と、制御点とを具備した第２のスイッチを備え、
該第１及び第２のスイッチはパワー・スイッチ素子であり、
該第１及び第２のスイッチはモス電界効果トランジスタ（ＭＯＳＦＥＴ）であり、該第１及び該第２のスイッチの該第１端は該モス電界効果トランジスタのドレーン、また、該第１及び該第２のスイッチの第２端は該モス電界効果トランジスタのソース、そして該第１及び該第２のスイッチの該制御端は該モス電界効果トランジスタのゲートである（請求項３に対応）。
【０００９】
また、上記アイディアによれば、該第１の上半ブリッジ・アームは第１端が該出力キャパシタの第１端に電気的に接続され、第２端が該第１の節点及び制御端に電気的に接続された第１のスイッチを備え、該第１の下半ブリッジ・アームは陰極が該第１の節点に電気的に接続され、陽極が該出力キャパシタの第２端に電気的に接続された第１のダイオードを備え、該第２の上半ブリッジ・アームは第１端が該出力キャパシタの該第１端に電気的に接続され、第２端が該第２の節点及び制御点に電気的に接続された第２のスイッチを備え、そして該第２の下半ブリッジ・アームは陰極が該第２の節点に電気的に接続されると共に陽極が該出力キャパシタの該第２端に電気的に接続された第２のダイオードを備えている（請求項４に対応）。
【００１０】
また、上記アイディアによれば、該第１の上半ブリッジ・アームは、第１端が出力キャパシタの第１端に電気的に接続され、第２端が該第１の節点及び制御点に電気的に接続された第１のスイッチを備え、該第１の下半ブリッジ・アームは第１端が第１の節点に電気的に接続され、第２端が該出力キャパシタの第２端及び制御点に電気的に接続された第２のスイッチを備え、該第２の上半ブリッジ・アームは陽極が第２の節点に電気的に接続されると共に陰極が該出力キャパシタの該第１端に電気的に接続された第１のダイオードを備え、そして該第２の下半ブリッジ・アームは陰極が第２の節点に電気的に接続されると共に陽極が出力キャパシタの該第２端に電気的に接続された第２のダイオードを備えている（請求項５に対応）。
【００１１】
また、上記アイディアによれば、該第１の上半ブリッジ・アームは、陽極が該第１の節点に電気的に接続されると共に陰極が該出力キャパシタの第１端に電気的に接続された第１のダイオードを備え、該第１の下半ブリッジ・アームは陰極が該第１の節点に電気的に接続されると共に陽極が該出力キャパシタの第２端に電気的に接続された第２のダイオードを備え、該第２の上半ブリッジ・アームは第１端が該出力キャパシタの該第１端に電気的に接続され、第２端が該第２の節点及び制御点に電気的に接続された第１のスイッチを備え、そして、該第２の下半ブリッジ・アームは第１端が該第２の節点に電気的に接続され、第２端が該出力キャパシタの該第２端及び制御点に電気的に接続された第２のスイッチを備え、
該電源系統は少なくとも一インバータを備えてなることを特徴とする（請求項６に対応）。
【００１２】
さらには上記目的を達成するために、本発明により提供された液晶表示設備のバック・ライト電源を提供する電源系統は
交流入力電圧に電気的に接続され、これにより直流電圧を提供する双重昇圧パワー・ファクタ校正（Dual Boost PFC）回路と、
双重昇圧パワー・ファクタ校正回路に電気的に接続され、これにより光源を駆動してＬＣＤパネル・バック・ライト光源を提供するインバータと、
該双重昇圧パワー・ファクタ校正回路に電気的に接続され、これにより複数の出力電圧を該液晶表示設備に提供する複数の出力電圧を具備した直流／直流変換器と、を備えてなることを特徴とする（請求項７に対応）。
【発明を実施するための最良の形態】
【００１３】
以下、添付図を参照しながら、本発明の好適な実施の形態を説明する。図２は本発明により提供されたＬＣＤ設備電源系統の第１の好適な実施の形態を示す回路見取図である。図に示すように１０は前端双重昇圧パワー・ファクタ校正（Dual Boost PFC）回路であり、その入力端と電力周波数交流ネット・ウォーキングとが直接連接して、入力電流パワー・ファクタ校正機能を実現したと共に、電力周波数交流電圧を安定な直流バス電圧ＶBUS に変換している。１ないし数個のインバータ３０1 ，３０2 ，…，３０n は対応する冷態陰極蛍光灯（ＣＣＦＬ）を駆動して、液晶表示パネル・バック・ライト光源を提供するものである。これらのインバータの入力端と前端パワー・ファクタ校正（ＰＦＣ）回路の出力端とが連接され、その入力電圧はつまりパワー・ファクタ（ＰＦＣ）回路の出力電圧ＶBUS である。また、他に直流／直流変換器（ＤＣ／ＤＣ converter）２０があり、その入力端も前端パワー・ファクタ校正（ＰＦＣ）回路の出力端と直接連接し、複数の出力電圧Ｖ1 ，Ｖ2 ，…，Ｖn を発生させてＬＣＤ設備の音声周波数及びその他制御部材に給電する。この新方案による電源系統は入力端の電力周波数整流器を省き、バック・ライト冷態陰極蛍光灯（ＣＣＦＬ）により消耗されたパワーは伝統の電源系統に一級少なく、前級パワー・ファクタ校正（ＰＦＣ）回路とバック・ライト・インバータとの間に介する直流／直流（ＤＣ／ＤＣ）変換であるので、全体の電源系統をより高い変換効率を有するようにさせ、より自然冷却条件下の熱構造設計に適するようにさせることができる。同時にこの方式の電源系統は相対的により簡単な構造とより低い材料コストを有する。
【００１４】
図３は本発明により提供されたＬＣＤ設備電源系統の第１の好適な実施の形態である双重昇圧パワー・ファクタ校正（Dual Boost PFC）回路を示す等価回路図である。この図において、第１のダイオードＤ１と第１のパワー・スイッチ（モス電界効果トランジスタ；ＭＯＳＦＥＴ）Ｑ１とは直列に接続されており、第２のダイオードＤ２と、第２のパワー・スイッチＱ２とは直列に接続され、それぞれ２個の相互に並列したブリッジ・アームを構成している。その中、２個の上半ブリッジ・アームＤ１及びＤ２の陰極は互いに連接していると共に、出力キャパシタＣＢの第１端（陽極）に電気的に接続され、そして２個の下半ブリッジ・アームＱ１及びＱ２のソースは互いに連接していると共に出力キャパシタＣＢの第２端（陰極）に電気的に接続されている。電力周波数交流電圧Ｖacは１個の昇圧（Boost）インダクタＬと、上記２個ブリッジ・アームの接続点にわたって直列に接続されている。
【００１５】
図４は図３に示した双重昇圧パワー・ファクタ校正（Dual Boost PFC）回路の等価回路図の工作原理を示す図である。図３に定義された各変数の参照方向によれば、入力電圧Ｖac正方向半波の場合、昇圧インダクタＬと、第１のスイッチＱ１と、第１のダイオードＤ１と、出力キャパシタＣＢとにより基本的なBoost PFC回路が構成され、第２のスイッチＱ２が導通状態になると反対方向に流れた電流は昇圧インダクタＬ中の電流である。入力電圧Ｖacが負方向半波の場合、昇圧インダクタＬと、第２のスイッチＱ２と、第２のダイオードＤ２と、出力キャパシタＣＢとにより基本的な昇圧パワー・ファクタ校正（Boost PFC）回路が構成され、第１のスイッチＱ１が導通状態になると反対方向に流れた電流は昇圧インダクタＬ中の電流である。この回路は交流入力電圧Ｖac正負半波においてそれぞれ二個昇圧回路によりパワー・ファクタ（ＰＦＣ）機能が実現されるので専門的な電力周波数整流回路を必要としない。
【００１６】
ここで先ず説明すべきところは、図４に示されたのは双重昇圧パワー・ファクタ校正（Dual Boost PFC）回路は臨界断続電流方式（DCM Boundary）で稼動しているが実際の応用時にはこの制御方式に限定されない。
また、図３における第１及び第２のスイッチＱ１及びＱ２もモス電界効果トランジスタ（ＭＯＳＦＥＴ）に限定されず、その他の類型のパワー・スイッチ素子を使用することも出来る。
【００１７】
また、図２における双重昇圧パワー・ファクタ（Dual Boost PFC）回路も図３における形式に限らない。事実上、２個ダイオード及び２個パワー・スイッチ素子により図３に類似したブリッジ式構造を構成して一定の制御方式を採用すれば、同時に交流／直流（ＡＣ／ＤＣ）変換及びパワー・ファクタ校正（ＰＦＣ）機能を実現することが出来る。
【００１８】
図５は本発明により提供されたＬＣＤ設備電源系統の第２の好適な実施の形態の回路見取図である。図において双重昇圧パワー・ファクタ校正回路１０の２個パワー・スイッチ素子はそれぞれ並列に接続された２個の上半ブリッジ・アームを構成し、２個ダイオードは２個ブリッジ・アームの下半ブリッジ・アームを構成している。
【００１９】
図６は本発明により提供されたＬＣＤ設備電源系統の第３の好適な実施の形態を示す回路見取図である。図において双重昇圧パワー・ファクタ校正（Dual Boost PFC）回路１０の２個パワー・スイッチ素子は並列に接続された２個ブリッジ・アーム中の第１個のブリッジ・アームを構成し、第２個のブリッジ・アームは２個のダイオードにより構成されている。
【００２０】
図７は本発明により提供されたＬＣＤ設備電源系統の第４の好適な実施の形態を示す回路見取図である。図において双重昇圧パワー・ファクタ校正（Dual Boost PFC）回路１０の２個ダイオードは並列に接続された２個ブリッジ・アーム中の第１個のブリッジ・アームを構成し、第２個のブリッジ・アームは２個のパワー・スイッチ素子により構成されている。
【００２１】
要するに本発明により開示された電源系統は図１に開示された先行技術よりも入力整流器が１個少ないと共に、ＰＦＣ回路とバック・ライト・インバータ間に位置するＤＣ／ＤＣ変換器を省くことが出来たので、前記「一整流器、一ＰＦＣ回路（又は一昇圧回路）及び一インバータを介してＣＣＦＬのために電源を提供する」従来の技術に比べて少なくとも一整流器を省くことが出来、効果的に従来の技術中のＰＦＣ回路及び電力周波数整流器の低効率問題を解決することができる。したがって、本発明は従来の技術に比べてより簡単な構造及びより低い材料コストを有すると共に、より高い伝送効率を得ることが出来ることから、より自然冷却工作条件に適する熱構造設計を得ることが出来る。
【００２２】
ここで上記各実施の形態は本発明の技術的手段をより具体的に説明するために例を挙げた説明をしたもので本発明の技術的思想は決してこれらに限定されず添付クレームの範囲を逸脱しない限り、当業者による単純な設計変更、付加、修飾及び置換等はいずれも本発明の技術的範囲に属する。
【図面の簡単な説明】
【００２３】
【図１】従来のＬＣＤ設備電源系統を示すブロック図である。
【図２】本発明により提供されたＬＣＤ設備電源系統の第１の好適な実施の形態を示す回路見取図である。
【図３】本発明により提供されたＬＣＤ設備電源系統の第２の好適な実施の形態である双重昇圧パワー・ファクタ校正路を示す等価回路図である。
【図４】図３に示した双重昇圧パワー・ファクタ校正回路の等価回路図の工作原理を示す図である。
【図５】本発明により提供されたＬＣＤ設備電源系統の第２の好適な実施の形態の回路見取図である。
【図６】本発明により提供されたＬＣＤ設備電源系統の第３の好適な実施の形態の回路見取図である。
【図７】本発明により提供されたＬＣＤ設備電源系統の第４の好適な実施の形態の回路見取図である。
【符号の説明】
【００２４】
Ｌ・・・インダクタ  Ｄ１  、Ｄ２・・・ダイオード  Ｑ１  、Ｑ２・・・モス電界効果トランジスタ  ＣＢ・・・出力キャパシタ
【図１】
2005316429.tif 000003
【図２】
2005316429.tif 000004
【図３】
2005316429.tif 000005
【図４】
2005316429.tif 000006
【図５】
2005316429.tif 000007
【図６】
2005316429.tif 000008
【図７】
2005316429.tif 000009